(57)【要約】【課題】本発明は、スピリングリールに装着することにより、使い勝手の良いスピリングリールにすることができるスピニングリールのバランサー装置を提供することを目的とするものである。【解決手段】本発明のスピニングリールのバランサー装置は、スピニングリールの左右両側部に設けられたハンドル装着部の一方に前記スピニングリールのローターを回転させるハンドルが着脱自在に装着され、前記ハンドルが装着されていないハンドル装着部に装着されて前記ハンドルとの重量面のバランスを取るスピニングリールのバランサー装置であって、前記バランサー装置は、内部に空間を備えた棒状の本体と、前記本体内に収納される錘と、前記本体をハンドル装着部に着脱自在に装着する装着部とを少なくとも備えることで、上記課題を解決している。【選択図】図２
2016054730.tif 000002
【特許請求の範囲】
【請求項１】
スピニングリールの左右両側部に設けられたハンドル装着部の一方に前記スピニングリールのローターを回転させるハンドルが着脱自在に装着され、前記ハンドルが装着されていないハンドル装着部に装着されて前記ハンドルとの重量面のバランスを取るスピニングリールのバランサー装置であって、前記バランサー装置は、内部に空間部を備えた棒状の本体と、前記本体の空間部内に収納される錘と、前記本体をハンドル装着部に着脱自在に装着する装着部とを少なくとも備えたことを特徴とするスピニングリールのバランサー装置。
【請求項２】
前記バランサー装置は、複数個の錘が前記本体の空間部内に収納されるとともに、前記錘が落下するのを防止する蓋体が設けられている請求項１に記載のスピニングリールのバランサー装置。
【請求項３】
前記バランサー装置は、前記本体の空間部内に収納された錘の位置を可変とする移動手段が設けられている請求項１に記載のスピニングリールのバランサー装置。
【発明の詳細な説明】
【技術分野】
【０００１】  本発明は、スピニングリールのバランサー装置に関するものである。
【背景技術】
【０００２】  従来より、特許文献１に示すようなスピリングリールは知られており、釣りをする際に、ハンドルを回転させてスピニングリールのローターを回転させるが、ハンドルの重量により竿がハンドル側に傾いてしてしまい、竿がハンドル側に傾いた状態でハンドルを回転させると、腕を捻って回転させることになり、回転させにくいという問題点があり、それを防止するためにハンドル側に傾いた竿を正常な状態にするためには手首を捻って竿を正常な状態にしなければならず、手首が疲れるという問題点があった。
【先行技術文献】
【特許文献】
【０００３】
【特許文献１】実開平４−６７９４９号公報
【発明の概要】
【発明が解決しようとする課題】
【０００４】  本発明は、上記問題点に鑑みてなされたものであり、スピリングリールに装着することにより、使い勝手の良いスピリングリールにすることができるスピニングリールのバランサー装置を提供することを目的とするものである。
【課題を解決するための手段】
【０００５】  上記課題を解決するために、本発明のスピニングリールのバランサー装置は、スピニングリールの左右両側部に設けられたハンドル装着部の一方に前記スピニングリールのローターを回転させるハンドルが着脱自在に装着され、前記ハンドルが装着されていないハンドル装着部に装着されて前記ハンドルとの重量面のバランスを取るスピニングリールのバランサー装置であって、前記バランサー装置は、内部に空間部を備えた棒状の本体と、前記本体の空間部内に収納される錘と、前記本体をハンドル装着部に着脱自在に装着する装着部とを少なくとも備えたことを特徴とする。
又、前記バランサー装置は、複数個の錘が前記本体の空間部内に収納されるとともに、前記錘が落下するのを防止する蓋体が設けられているのが望ましい。
又、前記バランサー装置は、前記本体の空間部内に収納された錘の位置を可変とする移動手段が設けられているのが望ましい。
【発明の効果】
【０００６】  本発明のスピニングリールのバランサー装置は、スピニングリールの左右両側部に設けられたハンドル装着部の一方に前記スピニングリールのローターを回転させるハンドルが着脱自在に装着され、前記ハンドルが装着されていないハンドル装着部に装着されて前記ハンドルとの重量面のバランスを取るスピニングリールのバランサー装置であって、前記バランサー装置は、内部に空間部を備えた棒状の本体と、前記本体の空間部内に収納される錘と、前記本体をハンドル装着部に着脱自在に装着する装着部とを少なくとも備えたことを特徴とするものであるから、ハンドルの重量により竿がハンドル側に傾いてしてしまうのをバランサー装置で相殺するので、竿がハンドル側に傾いた状態でハンドルを回転させることが無く、回転させやすいという効果があるとともに、ハンドル側に傾いた竿を手首を捻って正常な状態にする必要が無く、手首が疲れないという効果とがある。例え、調整が不十分だったとしても、竿がハンドル側に傾く角度を小さくすることができ、使い勝手が向上するという効果がある。
請求項２のように、前記バランサー装置は、複数個の錘が前記本体の空間部内に収納されるとともに、前記錘が落下するのを防止する蓋体が設けられているものは、錘の数をハンドルの重さに応じて調整が可能となり、使い勝手が良くなるという効果がある。
請求項３のように、前記バランサー装置は、前記本体の空間部内に収納された錘の位置を可変とする移動手段が設けられているものは、ハンドルの重さに応じてバランサー装置を無段階に調整が可能となり、使い勝手が更に良くなるという効果がある。
【図面の簡単な説明】
【０００７】
【図１】図１は、本発明のスピニングリールのバランサー装置の分解斜視図である。
【図２】図２は、本発明のスピニングリールのバランサー装置の断面図である。
【図３】図３は、本発明のスピニングリールのバランサー装置をダブルハンドルに装着した正面図である。
【図４】図４は、本発明のスピニングリールのバランサー装置をシングルハンドルに装着した正面図である。
【図５】図５は、本発明のスピニングリールのバランサー装置のセッティングを説明する断面図である。
【発明を実施するための形態】
【０００８】  以下、本発明を実施するための形態について図面を参照して説明する。
【０００９】  スピニングリールのバランサー装置１は、スピニングリールＲの左右両側部に設けられたハンドル装着部Ｒ２の一方に前記スピニングリールＲのローターＲ３を回転させるハンドルＨが着脱自在に装着され、ハンドルＨが装着されていないハンドル装着部Ｒ２に装着されてハンドルＨとの重量面のバランスを取るスピニングリールＲのバランサー装置１であって、バランサー装置１は、内部に空間部２を備えた棒状の本体３と、本体３内に収納される錘４と、錘４を付勢するばね５と、本体３の端部に装着されて本体３から錘４及びばね５が落下するのを防止する蓋体６と、本体３をハンドル装着部Ｒ２に着脱自在に装着する装着部７とを備えている。竿ＳにはスピニングリールＲが着脱自在に装着されるものであり、左利き右利きに対応してハンドルＨがスピニングリールＲの左側のハンドル装着部Ｒ２と、スピニングリールＲの右側のハンドル装着部Ｒ２のいずれかに装着される。
【００１０】  本発明のバランサー装置１に使用する本体３の素材には、制限が無く、素材（アルミニューム・鉄・鉛・タングステン・ステンレス・真鍮等）により、同体積でも前期素材比重により重量が異なり、錘４の素材との組み合わせでより繊細な重量バランスを取る事が出来るものである。
【００１１】  本発明のバランサー装置１に使用する錘４の素材には、制限が無く、素材（アルミニューム・鉄・鉛・タングステン・ステンレス・真鍮等）により、同体積でも前記素材比重により重量が異なり、本体３の素材との組み合わせでより繊細な重量バランスを取る事が出来るものであり、錘４の数をダブルハンドルＨａとシングルＨｂの重さに応じて調整が可能となっている。
【００１２】  本発明のバランサー装置１に使用するばね５の素材には、制限が無いが、本体３内に収納される１個乃至４個の錘４を付勢して錘４移動させないばね力が要求されるものである。
【００１３】  本発明のバランサーに使用する蓋体６の素材には、制限が無く素材（アルミニューム・鉄・鉛・タングステン・ステンレス・真鍮等）により、同体積でも前記素材比重により重量が異なり、本体３の素材や錘４の素材との組み合わせでより繊細な重量バランスを取る事が出来るものである。蓋体６には本体３に着脱自在に装着されるためのねじ部６ａと、本体３に装着又は外す場合に使用する溝部６ｂが形成されており、溝部６ｂにはコインを挿入すれば良いものであり、コインの挿入を阻害するような溝部６ｂに傷が付く使用は好ましくないものである。
【００１４】  装着部７は、スピニングリールＲの左右両側部に設けられたハンドル装着部Ｒ２と接し、バランサー装置１の距離調整となっており、前記装着部７の長さを変える事により、バランサー装置１を色々なタイプのスピニングリールＲへ取り付ける事が可能となる。また、素材にアルミニュームを使用しアルマイト処理を施す事により、前記スピニングリールＲの左右両側部に設けられたハンドル装着部Ｒ２への傷軽減とバランサー装置１のドレスアップ効果が期待される
【００１５】  次に、図３乃至図４を参照して、スピニングリール用ハンドルＨについて説明する。
スピニングリール用ハンドルＨは、形状や長さや素材により重量が大幅に変化する。形状も大きく分けて図３に示すように、ノブが２個有るダブルハンドルＨａや図４に示すように、ノブが１個しかないシングルハンドルＨｂが有り、重量が大幅に変わる。本発明のバランサー装置１は、本体３内に収納される錘４の数量とバネ５の位置を変えることでハンドルＨａやハンドルＨｂに合わせた重量バランスを取る事が可能である。
【００１６】  次に、本発明のバランサー装置１の錘４とバネ５よる重量バランスの使用例について、図５ａを乃至図５ｊ参照して説明する。図５ａは、錘４（５個）とバネ５を入れた仕様で、ハンドルＨａの様な重量の有るハンドルを使用する時の仕様である。図５ｂは、錘４（４個）をスピニングリールＲの外側にバネ５をスピニングリールＲの側へ入れた仕様で、ハンドルＨａの様な重量の有るハンドルで少し長さの短いハンドルを使用する時の仕様である。図５ｃは、錘４（３個）をスピニングリールＲの外側にバネ５をスピニングリールＲの側へ入れた仕様で、ハンドルＨｂの様なハンドルでハンドル長が長いハンドルを使用する時の仕様である。図５ｄは、錘４（２個）をスピニングリールＨの外側にバネ５をスピニングリールＲの側へ入れた仕様で、ハンドルＨｂの様なハンドルでハンドル長が一般的なハンドルを使用する時の仕様である。図５ｅは、錘４（１個）をスピニングリールＲの外側にバネ５をスピニングリールＲの側へ入れた仕様で、ハンドルＨｂの様なハンドルでハンドル長が短いハンドルを使用する時の仕様である。図５ｆは、スピニングリールＲの内部の空間２へ錘４とバネ５を入れない仕様で、ハンドルＨｂの様なハンドルでハンドル長が短いハンドルを使用する時やバランサー重量を図５ｅ、図５ｇの仕様より軽くする時の仕様である。図５ｇは、図５ｅの仕様より、重量配分をよりスピニングリールＲの側へ入れたい時の仕様である。図５ｈは、図５ｄの仕様より、重量配分をよりスピニングリールＲの側へ入れたい時の仕様である。図５ｉは、図５ｃの仕様より、重量配分をよりスピニングリールＲの側へ入れたい時の仕様である。図５ｊは、図５ｂの仕様より、重量配分をよりスピニングリールＲの側へ入れたい時の仕様である。
【００１７】  バランサー装置１の棒状の本体３の色が４色、蓋体６の色が１色、装着部７の色が２色、装着部７の長さが２タイプで組み合わせると全８種類の在庫で１６タイプの商品展開が出来、尚且つ簡単に各パーツを取り換える事が可能な為、今後の色展開でさらに幅広い要望に対応可能になる
【００１８】  バランサー装置１と装着部７は、脱落防止効果＆シール効果が有るＯリング８が挿入されており、リール本体へのゴミ混入防止効果も有している。
【００１９】  バランサー装置１の棒状の本体３には、Ｏリング９が２本搭載されおり、Ｏリング９の間に釣り糸を挟む事で、簡単に釣り糸を固定する事が可能です。
【００２０】  次に、バランサー装置が本体内に収納された錘の位置を可変とする移動手段を設けられている実施例について説明すると、移動手段は本体の端部に回動自在に装着された蓋体と、蓋体に固定されたねじと、ねじに螺着された錘取付台とからなり、蓋体を回動させることで錘取付台を本体の軸と同方向に移動自在とし、錘取付台に取り付けられた錘の位置を可変とするものであり、例えば、特開２００５−１８６９９２号公報に記載された構造を採用することができる。
また、バランサー装置が本体内に収納された錘の位置を可変とする移動手段を設けられている異なった実施例について説明すると、移動手段は本体内に固定された雌ねじに螺着されたねじと、ねじの下端に固定された操作子とからなり、操作子を回動させることでねじを本体の軸と同方向に移動自在とし、ねじに取り付けられた錘の位置を可変とするものであり、錘とともに操作子も移動するのでバランス量の調整を大きくすることが可能となる。
【符号の説明】
【００２１】１                バランサー装置
２                空間部
３                本体
４                錘
５                ばね
６                蓋体
７                装着部
８                Ｏリング
９                Ｏリング
Ｒ                スピニングリール
Ｈ                ハンドル
【図１】
2016054730.tif 000003
【図２】
2016054730.tif 000004
【図３】
2016054730.tif 000005
【図４】
2016054730.tif 000006
【図５】
2016054730.tif 000007